【手続補正書】
【提出日】平成18年3月16日(2006.3.16)
【手続補正１】
【補正対象書類名】明細書
【補正対象項目名】特許請求の範囲
【補正方法】変更
【補正の内容】
【特許請求の範囲】
【請求項１】  画像信号を少なくとも１個のピクチャにより構成されるＧＯＰ（Group of Pictures）単位に圧縮符号化したＣＢＲ（Constant Bit Rate）又はＶＢＲ（Variable Bit Rate）である第１のビットレートの第１の画像圧縮情報が入力され、ＣＢＲである第２のビットレートの第２の画像圧縮情報を出力する画像情報変換装置において、
入力された上記第１の画像圧縮情報のうちのＮ個のフレームを記憶する第１の記憶手段と、
上記第１の記憶手段に入力された第１の画像圧縮情報のＧＯＰのピクチャタイプの構成を解析する画像圧縮情報解析手段と、
上記画像圧縮情報解析手段から供給される当該画像圧縮情報解析手段により解析された解析結果である解析結果情報を記憶する第２の記憶手段と、
上記第１の記憶手段に記憶されたＮ個のフレームと上記第２の記憶手段に記憶された解析結果情報とに基づいて、上記第１の画像圧縮情報の上記Ｎ個のフレームを含んだ全体のＧＯＰのピクチャタイプの構成を予測した擬似ＧＯＰを生成する擬似ＧＯＰ生成手段と、
出力する上記第２の画像圧縮情報が上記第２のビットレートとなるように、上記擬似ＧＯＰ生成手段により生成された擬似ＧＯＰの各ピクチャに所定の符号量を割り当てる符号量割当手段とを備えることを特徴とする画像情報変換装置。
【請求項２】 上記符号量割当手段は、上記擬似ＧＯＰ生成手段により生成された擬似ＧＯＰの各ピクチャのうち、先行するピクチャに対しては少ない符号量を割り当て、後続するピクチャに対しては多くの符号量を割り当てることを特徴とする請求項１記載の画像情報変換装置。
【請求項３】  画像信号をピクチャ単位に圧縮符号化したＣＢＲ（Constant Bit Rate）又はＶＢＲ（Variable Bit Rate）である第１のビットレートの第１の画像圧縮情報が入力され、ＣＢＲである第２のビットレートの第２の画像圧縮情報を出力する画像情報変換装置において、
入力された上記第１の画像圧縮情報を解析する画像圧縮情報解析手段と、
上記画像圧縮情報解析手段により解析された解析結果である解析結果情報に基づいて、上記入力された第１の画像圧縮情報の各ピクチャの画像の複雑さを算出する複雑さ算出手段と、
上記複雑さ算出手段により算出された各ピクチャの画像の複雑さに基づいて、上記入力された第１の画像圧縮情報の各ピクチャに割り当てる目標符号量を算出する目標符号量算出手段と、
上記目標符号量算出手段により算出された目標符号量を、上記入力された第１の画像圧縮情報の各ピクチャに割り当てる目標符号量割当手段とを備えることを特徴とする画像情報変換装置。
【請求項４】  入力された上記第１の画像圧縮情報のうちのＮ個のフレームを記憶する第１の記憶手段と、
上記画像圧縮情報解析手段から供給される上記解析結果情報を記憶する第２の記憶手段と、
上記第１の記憶手段に記憶されたＮ個のフレームと上記第２の記憶手段に記憶された解析結果情報とに基づいて、上記第１の画像圧縮情報の上記Ｎ個のフレームを含んだ全体のＧＯＰのピクチャタイプの構成を予測した擬似ＧＯＰを生成する擬似ＧＯＰ生成手段とを備え、
上記複雑さ算出手段は、上記解析結果情報に基づいて、上記擬似ＧＯＰ生成手段により生成された擬似ＧＯＰの各ピクチャの画像の複雑さを算出し、上記目標符号量算出手段は、上記複雑さ算出手段により算出された擬似ＧＯＰの各ピクチャの画像の複雑さに基づいて、上記擬似ＧＯＰの各ピクチャに割り当てる目標符号量を算出し、上記目標符号量割当手段は、上記目標符号量算出手段により算出された目標符号量を、上記擬似ＧＯＰの各ピクチャに割り当てることを特徴とする請求項３記載の画像情報変換装置。
【請求項５】  画像信号をピクチャ単位に圧縮符号化したＣＢＲ（ConstantBit Rate）又はＶＢＲ（Variable Bit Rate）である第１のビットレートの第１の画像圧縮情報が入力され、ＣＢＲである第２のビットレートの第２の画像圧縮情報を出力する画像情報変換装置において、
入力された上記第１の画像圧縮情報の可変長符号を復号し、ＤＣＴ（DiscreteCosine Transform）データとヘッダデータとに分離するデータ分離手段と、入力された上記第１の画像圧縮情報を解析する画像圧縮情報解析手段と、
上記入力された第１の画像圧縮情報の各ピクチャに割り当てる目標符号量に関する情報に基づいて、当該各ピクチャに割り当てる目標符号量が、当該各ピクチャに割り当てるヘッダデータの目標符号量よりも少ない場合に、上記データ分離手段により分離されたヘッダデータに対して圧縮処理を行うヘッダデータ圧縮手段とを備えることを特徴とする画像情報変換装置。
【請求項６】  上記画像圧縮情報解析手段により解析された解析結果である解析結果情報に基づいて、上記入力された第１の画像圧縮情報の各ピクチャの画像の複雑さを算出する複雑さ算出手段と、
上記複雑さ算出手段により算出された各ピクチャの画像の複雑さに基づいて、上記入力された第１の画像圧縮情報の各ピクチャに割り当てる目標符号量を算出する目標符号量算出手段とを備え、
上記ヘッダデータ圧縮手段は、上記目標符号量算出手段により算出された上記各ピクチャに割り当てる目標符号量に関する情報に基づいて、当該各ピクチャに割り当てる目標符号量が、当該各ピクチャに割り当てるヘッダデータの目標符号量よりも少ない場合に、上記データ分離手段により分離されたヘッダデータに対して圧縮処理を行うことを特徴とする請求項５記載の画像情報変換装置。
【請求項７】  上記ヘッダデータ圧縮手段は、上記データ分離手段により分離されたヘッダデータのうち、動きベクトル用のヘッダデータに対して圧縮処理を行うことを特徴とする請求項５記載の画像情報変換装置。
【請求項８】 入力された上記第１の画像圧縮情報のうちのＮ個のフレームを記憶する第１の記憶手段と、
上記画像圧縮情報解析手段から供給される当該画像圧縮情報解析手段により解析された解析結果である解析結果情報を記憶する第２の記憶手段と、
上記第１の記憶手段に記憶されたＮ個のフレームと上記第２の記憶手段に記憶された解析結果情報とに基づいて、上記第１の画像圧縮情報の上記Ｎ個のフレームを含んだ全体のＧＯＰのピクチャタイプの構成を予測した擬似ＧＯＰを生成する擬似ＧＯＰ生成手段とを備え、
上記ヘッダデータ圧縮手段は、上記擬似ＧＯＰ生成手段により生成された擬似ＧＯＰの各ピクチャに割り当てる目標符号量に関する情報に基づいて、当該擬似ＧＯＰの各ピクチャに割り当てる目標符号量が、当該擬似ＧＯＰの各ピクチャに割り当てるヘッダデータの目標符号量よりも少ない場合に、上記データ分離手段により分離されたヘッダデータに対して圧縮処理を行うことを特徴とする請求項５記載の画像情報変換装置。
【請求項９】  画像信号をピクチャ単位に圧縮符号化したＣＢＲ（ConstantBit Rate）又はＶＢＲ（Variable Bit Rate）である第１のビットレートの第１の画像圧縮情報が入力され、ＣＢＲである第２のビットレートの第２の画像圧縮情報を出力する画像情報変換装置において、
入力された上記第１の画像圧縮情報を解析する画像圧縮情報解析手段と、
上記画像圧縮情報解析手段により解析された解析結果である解析結果情報に基づいて、上記入力された第１の画像圧縮情報の各ピクチャの画像の複雑さを算出する複雑さ算出手段と、
上記複雑さ算出手段により算出された各ピクチャの画像の複雑さに基づいて、上記入力された第１の画像圧縮情報の各ピクチャに割り当てる目標符号量を算出する目標符号量算出手段と、
上記目標符号量算出手段により算出された目標符号量に関する情報と出力する上記第２の画像圧縮情報の符号量に関する情報とに基づいて、参照量子化スケールを生成する参照量子化スケール生成手段と、
上記入力された第１の画像圧縮情報のアクティビティを算出するアクティビティ算出手段と、
上記参照量子化スケール生成手段により生成された参照量子化スケールと、上記アクティビティ算出手段により算出されたアクティビティとに基づいて、量子化スケールを生成する量子化スケール生成手段と、
上記入力された第１の画像圧縮情報の直交変換係数を逆量子化する逆量子化手段と、
上記量子化スケール生成手段により生成された量子化スケールに基づいて、上記逆量子化手段により逆量子化された上記第１の画像圧縮情報の直交変換係数を再量子化する量子化手段とを備えることを特徴とする画像情報変換装置。
【請求項１０】  画像信号を少なくとも１個のピクチャにより構成されるＧＯＰ（Group of Pictures）単位に圧縮符号化したＣＢＲ（Constant Bit Rate）又はＶＢＲ（Variable Bit Rate）である第１のビットレートの第１の画像圧縮情報が入力され、ＣＢＲである第２のビットレートの第２の画像圧縮情報を出力する画像情報変換方法において、
入力された上記第１の画像圧縮情報のうちのＮ個のフレームを記憶し、
上記第１の画像圧縮情報のＧＯＰのピクチャタイプの構成を解析し、
この解析された解析結果である解析結果情報を記憶し、
上記記憶されたＮ個のフレームと上記記憶された解析結果情報とに基づいて、上記第１の画像圧縮情報の上記Ｎ個のフレームを含んだ全体のＧＯＰのピクチャタイプの構成を予測した擬似ＧＯＰを生成し、
出力する上記第２の画像圧縮情報が上記第２のビットレートとなるように、上記生成された擬似ＧＯＰの各ピクチャに所定の符号量を割り当てることを特徴とする画像情報変換方法。
【請求項１１】  画像信号をピクチャ単位に圧縮符号化したＣＢＲ（ConstantBit Rate）又はＶＢＲ（Variable Bit Rate）である第１のビットレートの第１の画像圧縮情報が入力され、ＣＢＲである第２のビットレートの第２の画像圧縮情報を出力する画像情報変換方法において、
入力された上記第１の画像圧縮情報を解析し、
この解析された解析結果である解析結果情報に基づいて、上記入力された第１の画像圧縮情報の各ピクチャの画像の複雑さを算出し、
この算出された各ピクチャの画像の複雑さに基づいて、上記入力された第１の画像圧縮情報の各ピクチャに割り当てる目標符号量を算出し、
この算出された目標符号量を、上記入力された第１の画像圧縮情報の各ピクチャに割り当てることを特徴とする画像情報変換方法。
【請求項１２】  画像信号をピクチャ単位に圧縮符号化したＣＢＲ（ConstantBit Rate）又はＶＢＲ（Variable Bit Rate）である第１のビットレートの第１の画像圧縮情報が入力され、ＣＢＲである第２のビットレートの第２の画像圧縮情報を出力する画像情報変換方法において、
入力された上記第１の画像圧縮情報の可変長符号を復号し、
ＤＣＴ（DiscreteCosine Transform）データとヘッダデータとに分離し、
入力された上記第１の画像圧縮情報を解析し、
上記入力された第１の画像圧縮情報の各ピクチャに割り当てる目標符号量に関する情報に基づいて、当該各ピクチャに割り当てる目標符号量が、当該各ピクチャに割り当てるヘッダデータの目標符号量よりも少ない場合に、上記分離されたヘッダデータに対して圧縮処理を行うことを特徴とする画像情報変換方法。
【請求項１３】  画像信号をピクチャ単位に圧縮符号化したＣＢＲ（ConstantBit Rate）又はＶＢＲ（Variable Bit Rate）である第１のビットレートの第１の画像圧縮情報が入力され、ＣＢＲである第２のビットレートの第２の画像圧縮情報を出力する画像情報変換方法において、
入力された上記第１の画像圧縮情報を解析し、この解析された解析結果である解析結果情報に基づいて、上記入力された第１の画像圧縮情報の各ピクチャの画像の複雑さを算出し、
上記算出された各ピクチャの画像の複雑さに基づいて、上記入力された第１の画像圧縮情報の各ピクチャに割り当てる目標符号量を算出し、
上記算出された目標符号量に関する情報と出力する上記第２の画像圧縮情報の符号量に関する情報とに基づいて、参照量子化スケールを生成し、
上記入力された第１の画像圧縮情報のアクティビティを算出し、
上記生成された参照量子化スケールと、上記算出されたアクティビティとに基づいて、量子化スケールを生成し、
上記入力された第１の画像圧縮情報の直交変換係数を逆量子化し、
上記生成された量子化スケールに基づいて、上記逆量子化された上記第１の画像圧縮情報の直交変換係数を再量子化することを特徴とする画像情報変換方法。
【手続補正２】
【補正対象書類名】明細書
【補正対象項目名】００３６
【補正方法】削除
【補正の内容】
【手続補正３】
【補正対象書類名】明細書
【補正対象項目名】００３７
【補正方法】削除
【補正の内容】
【手続補正４】
【補正対象書類名】明細書
【補正対象項目名】００４６
【補正方法】削除
【補正の内容】
【手続補正５】
【補正対象書類名】明細書
【補正対象項目名】００４７
【補正方法】削除
【補正の内容】